(57)【特許請求の範囲】
【請求項１】
鍔に繞設した汗取り帯部と、この汗取り帯部の首筋側に設けた伸縮体と、前記鍔に設けた遮光部材のクラウン部と、このクラウン部に設けた遮光部材の首カバー部とで構成した防暑対策用の帽子であって、前記クラウン部と首カバー部とを連繋するとともに、このクラウン部と首カバー部の境目に、前記汗取り帯部及び伸縮体を設け、前記汗取り帯部及び伸縮体で頭部を緊締し、
前記クラウン部のクラウン頂面は、遮光部材の縦糸を帽子の幅方向（人の両肩方向）に設けた二重構造とし、またこのクラウン部のクラウン側面は、遮光部材の縦糸を帽子の立上り方向（被り方向）に設けた二重構造とし、クラウン部の形状・寸法の保護と、耐久性の向上等を意図する構成とした防暑対策用の帽子。
【請求項２】
請求項１の遮光部材は、ポリエチレンフィルムの基材にアルミニュウムを蒸着した遮光フィルム素材を紐状に延展し、この紐状に延展した遮光フィルム素材を横糸として、フィラメント素材撚糸を縦糸として織布して、寒冷紗態様とした防暑対策用の帽子。
【請求項３】
請求項１の首カバー部は、耳部をカバーする領域部位を備える構成とした防暑対策用の帽子。
【請求項４】
請求項１の首カバー部は、耳部をカバーする領域部位を備えており、この領域部位は、鍔の内面の基端より鍔先側に向って縫合されるとともに、鍔の内側に向って縫合される構成とした防暑対策用の帽子。
【発明の詳細な説明】
【０００１】
【発明の属する技術分野】
この発明は、農作業、屋外での作業時における防暑対策用の帽子に関する。
【０００２】
【従来の技術】
従来、農作業、屋外での作業時における防暑対策としては、本出願人は、実用新案を取得している。この取得した権利は、実用新案登録第３０７５４５５号の防暑対策作業衣と、この防暑対策作業衣に使用する帽子を提案している。この考案は、遮光部材でなる上衣と帽子に関する内容であり、大きな鍔で、顔面が日陰になることを意図した、義姉さん被りの形態の帽子であって、大きな鍔と、耳を被る大きな側面を有する構成である。この構成では、婦人が使用するには最適である。しかし、男子が使用するには、抵抗感があり、一部で改良が望まれている。この理由の一例を述べると、この考案の帽子は、婦人が使用するに適するように、義姉さん被りの形態であり、しかも大きな鍔と、耳を被る大きな側面を有することが理由であり、この辺の形態、雰囲気等を男性が被っても違和感がない形態にすることが望まれていると考えられる。この趣旨に鑑み、本発明は、新しい、男性専科の防暑対策用の帽子を提供する。
【０００３】
また、この種の防暑対策用の帽子に関する先行文献を以下に概述する。文献（１）は、特開平１０−１８１１９号の電磁波を遮断しながら、人体頭部を太陽熱から保護する効果を高めた帽子及びその製造方法であり、内容は、帽子の内側に添接するように電磁波遮断用の金属物資を含んだ網体、フィルム等の保護部材と、内側保護シートとを設けた構成であり、電磁波と、炎天下における太陽熱からの人体頭部保護を意図する。また文献（２）は、特開平８−９２８１０号の涼感帽子であり、内容は、布帛と、通気性を有する太陽光反射層とで構成した２枚構造の帽子であって、この通気性を有する太陽光反射層により、盛夏に着用しても蒸れず、優れた涼感性が得られること、又は２枚構造であり、太陽光反射層を構成する太陽反射物質の脱落も少なく、脱落した太陽反射物質の人体への付着をなくすこと等を意図する。
【０００４】
【発明が解決しようとする課題】
前記実用新案登録第３０７５４５５号の構成は、農作業、屋外での作業時における防暑対策用としては、十分である。しかし、例えば、男性が被るには、幾分抵抗感があること、また頭部にフィットする構成でないので、風、衝撃による帽子のズレが発生すること、等の課題がある。
【０００５】
また文献（１）、（２）は、通常使用する帽子であり、農作業、屋外での作業時における防暑対策用としては、十分でない課題がある。例えば、文献（１）、（２）は、首部カバーを有さないことから、大切な首部の保護及び防暑が図れないこと、またクラウン部と首部カバーとの連繋がないことから、汗取り帯部と伸縮体を利用して、頭にフィットする構成を採用できないこと、更には、耳部をカバーする構成でないので、この耳部の防暑に十分でないこと等の点が挙げられる。
【０００６】
【課題を解決するための手段】
請求項１の発明は、農作業、屋外での作業（農作業とする）時の防暑効果を確保すること、又は太陽光線から頭部、首部をガードし、その弊害をなくすこと、また前記防暑及び弊害を回避して、農作業による疲労、弊害等を回避しつつ、安全な仕事を保証すること、等を意図する。またこのクラウン部のクラウン頂面は、遮光部材の縦糸を帽子の幅方向（人の両肩方向）に設けた二重構造とし、帽子が前後方向の伸びを規制し、形状・寸法の保護と、耐久性の向上等を図ることを意図する。一方、このクラウン側面は、遮光部材の縦糸を帽子の立上り方向（被り方向）に設けた二重構造とし、帽子が上下方向の伸びを規制し、形状・寸法の保護と、耐久性の向上等を意図する。そして、全体としては、クラウン部の形状・寸法の保護と、耐久性の向上等を図ることを意図する。
【０００７】
請求項１は、鍔に繞設した汗取り帯部と、この汗取り帯部の首筋側に設けた伸縮体と、前記鍔に設けた遮光部材のクラウン部と、このクラウン部に設けた遮光部材の首カバー部とで構成した防暑対策用の帽子であって、前記クラウン部と首カバー部とを連繋するとともに、このクラウン部と首カバー部の境目に、前記汗取り帯部及び伸縮体を設け、前記汗取り帯部及び伸縮体で頭部を緊締し、
前記クラウン部のクラウン頂面は、遮光部材の縦糸を帽子の幅方向（人の両肩方向）に設けた二重構造とし、またこのクラウン部のクラウン側面は、遮光部材の縦糸を帽子の立上り方向（被り方向）に設けた二重構造とし、クラウン部の形状・寸法の保護と、耐久性の向上等を意図する構成とした防暑対策用の帽子である。
【０００８】
請求項２の発明は、請求項１の発明に最適な遮光部材の提供を意図する。
【０００９】
請求項２は、遮光部材を、ポリエチレンフィルムの基材にアルミニュウムを蒸着した遮光フィルム素材を紐状に延展し、この紐状に延展した遮光フィルム素材を横糸として、フィラメント素材撚糸を縦糸として織布して、寒冷紗態様とした防暑対策用の帽子である。
【００１０】
請求項３の発明は、農作業時の防暑を確保すること、又は太陽光線から頭部、首部及び耳部をガードし、その弊害をなくすこと、また前記防暑及び弊害を回避して、農作業による疲労、弊害等を回避しつつ、安全な仕事を保証すること、等を意図する。
【００１１】
請求項３は、首カバー部が、耳部をカバーする領域部位を備える構成とした防暑対策用の帽子である。
【００１２】
請求項４の発明は、耳カバー部と鍔との連繋を、容易にできる構成とすること、又は耳カバー部の鍔の内面に設けて耳部を確実にカバーすること、等を意図する。
【００１３】
請求項４は、首カバー部が、耳部をカバーする領域部位を備えており、この領域部位は、鍔の内面の基端より鍔先側に向って縫合されるとともに、鍔の内側に向って縫合される構成とした防暑対策用の帽子である。
【００１４】
【発明の実施の形態】
以下、本発明の実施の形態を図示した一例を基にして説明する。
【００１５】
図７に示すように、帽子の鍔を保持して、クラウン部を頭部にのせた後、鍔及びクラウン部を下側に引張って、帽子を被る。この帽子を被った状態では、頭部がクラウン部で、首筋（首筋側）が首カバー部で、また耳が耳カバー部でそれぞれ覆われる。そして、この状態で、額と頭部とは、汗取り帯部と伸縮体とにより緊締されるので、帽子が風等により脱げる虞が少なく、安心して農作業ができる実益がある。また帽子は、頭の大小にも対応でるので、汎用性がある。また紐の利用は、従来と同様である。
【００１６】
以上のようにして、帽子を被った場合に、頭部、首部及び耳部が、二重構造の遮光部材でカバーされることから、図９に示すように、綿帽子と対比した温度比を説明すると、頭部では、略１割強程度低いと計測されている。また首部では、略０．７割程度低いと計測されている。殊に、頭部の温度が低いことは、涼感が期待できる。この図９は、愛知県知多市の某農場（フキ作業所）において計測したものであり、平成１３年８月の中旬における農作業の状態による。
【００１７】
尚、クラウン部は、クラウン頂面の端部に、縫込み部を設けて、被り易く構成し、また違和感なく被れること、或いは頭とクラウン部との間に隙間を設け、空気帯域をつくり、涼感の確保と、圧迫感の解消等に役立てることもできる。また首カバー部は、クラウン部より略ストレートに設ける構成して、この首カバー部が、確実に首筋を覆い、また違和感なく着装できる特徴がある。そして、この遮光部材は、硬性を備えているので、汗をかいてもべとつくことがない特徴と、涼感の確保、違和感、圧迫感の解消等に役立つことが考えられる。
【００１８】
帽子を使用後、収容する場合には、首カバー部が、クラウン部の内側に、折畳み収容できるので、嵩張らないこと、保管に便利であること、等の取扱いの利便性に役立つ特徴がある。
【００１９】
本発明の帽子を被った農作業者の１０人にアンケートしたので、その結果を、表１で説明する。
【００２０】
【表１】
0003912654.tif 000002
【００２１】
上記のアンケートの如く、極めて好評であり、農作業者に福音をもたらすことは明白である。
【００２２】
【実施例】
以下、本発明の一実施例を説明する。
【００２３】
１は帽子で、この帽子１は、鍔２と、この鍔２に設けた遮光部材Ａのクラウン部３と、このクラウン部３と連繋した遮光部材Ａの首カバー部四と、このクラウン部３の下端（クラウン部３と首カバー部４の連繋部）に設けた汗取り帯部５及び伸縮体６と、クラウン部３と汗取り帯部５に設けた紐７とを構成要素とする。
【００２４】
この遮光部材Ａは、図８の（ｂ）で示すように、ポリエチレンフィルムの基材にアルミニュウムを蒸着した遮光フィルム素材を紐状Ａ１に形成し、紐状Ａ１を横糸として、フィラメント素材撚糸Ａ２を縦糸として織布又は編成した構成であり、隙間Ａ３を有する寒冷紗態様とする。従って、遮光性、防暑性を備える。また適度の硬性を備えてあり、皺になり難いこと、形状の安定性があること、等の特徴がある。
【００２５】
クラウン部３は、平面視して略帯状で、全体視してアーチ形状でなるクラウン頂面３０と、このクラウン頂面３０の端部に設けた半月状のクラウン側面３１、３１とを縫合した構成であり、クラウン頂面３０の端部３０ａ、３０ａに、クラウン側面３１、３１の端部３１ａ、３１ａを縫合する。この縫合を縫合部３ａとする。従って、このクラウン部３は、正面視して略台形状を呈する。このクラウン頂面３０は、遮光部材Ａの縦糸を帽子１の幅方向（人の両肩方向）に設けた二重構造とし、帽子１が前後方向の伸びを規制し、形状・寸法の保護と、耐久性の向上等を意図する。一方、このクラウン側面３１は、遮光部材Ａの縦糸を帽子１の立上り方向（被り方向）に設けた二重構造とし、帽子１が上下方向の伸びを規制し、形状・寸法の保護と、耐久性の向上等を意図する。そして、全体としては、クラウン部３の形状・寸法の保護と、耐久性の向上等を意図する。尚、この二重構造は、保温、緩衝、耐久性の向上等に役立ち有益である（他も同じ）。
【００２６】
首カバー部４は、クラウン部３と鍔２との間に縫合されており、正面視して略よだれ掛けの形状をして折り、首筋をカバーし、かつ肩部及び／又は背部を優しくカバーする構成としてある。尚、この首カバー部４は、耳カバー部４０を備えており、耳部をカバーする。そして、この耳カバー部４０は、領域部位４００を備えており、この領域部位４００は、鍔２の内面の基端２０より鍔先側２ａに向って縫合されるとともに、鍔２の内側２ｂに向って縫合される構成とした、できる限り耳部をカバーし、かつ防暑の効果を図ること、又はクラウン部３、鍔２及び首カバー部４との連繋の強化・容易化・能率化・作業の容易化と、この連繋の解れ防止、等を意図する。この首カバー部４は、遮光部材Ａの縦糸を帽子１の幅方向に設け二重構造とし、首カバー部４の下方向（足元方向）への下がりを確保し、形状の保護と、耐久性の向上等を意図する。
【００２７】
尚、汗取り帯部５及び伸縮体６は、クラウン部３と首カバー部４との縫合部で、かつ鍔２の基端２０に縫合される。伸縮体６は、ゴム紐、形状合金、調整部材等で構成し、前記汗取り帯部５の首筋側に設けられている。
【００２８】
【発明の効果】
請求項１の発明は、鍔に繞設した汗取り帯部と、汗取り帯部の首筋側に設けた伸縮体と、鍔に設けた遮光部材のクラウン部と、クラウン部に設けた遮光部材の首カバー部とで構成した防暑対策用の帽子であって、クラウン部と首カバー部とを連繋するとともに、クラウン部と首カバー部の境目に、汗取り帯部及び伸縮体を設け、汗取り帯部及び伸縮体で頭部を緊締し、クラウン部のクラウン頂面は、遮光部材の縦糸を帽子の幅方向（人の両肩方向）に設けた二重構造とし、またクラウン部のクラウン側面は、遮光部材の縦糸を帽子の立上り方向（被り方向）に設けた二重構造とし、クラウン部の形状・寸法の保護と、耐久性の向上等を意図する構成とした防暑対策用の帽子である。従って、農作業時の防暑効果が期待できること、又は太陽光線から頭部、首部をガードし、その弊害をなくし得ること、また防暑及び弊害を回避して、農作業による疲労、弊害等を回避しつつ、安全な農作業又は他の仕事等が保証されること、等の特徴がある。またこのクラウン頂面は、遮光部材の縦糸を帽子の幅方向（人の両肩方向）に設けた二重構造とし、帽子が前後方向の伸びを規制し、形状・寸法の保護と、耐久性の向上等が図れる。一方、このクラウン側面は、遮光部材の縦糸を帽子の立上り方向（被り方向）に設けた二重構造とし、帽子が上下方向の伸びを規制し、形状・寸法の保護と、耐久性の向上等が図れる。そして、全体としては、クラウン部の形状・寸法の保護と、耐久性の向上等が図れる。
【００２９】
請求項２の発明は、遮光部材を、ポリエチレンフィルムの基材にアルミニュウムを蒸着した遮光フィルム素材を紐状に延展し、紐状に延展した遮光フィルム素材を横糸として、フィラメント素材撚糸を縦糸として織布して、寒冷紗態様とした防暑対策用の帽子である。従って、請求項１の発明に最適な遮光部材の提供できる。
【００３０】
請求項３の発明は、首カバー部が、耳部をカバーする領域部位を備える構成とした防暑対策用の帽子である。従って、農作業時の防暑が図れること、又は太陽光線から頭部、首部及び耳部をガードし、その弊害をなくすこと、また前記防暑及び弊害を回避して、農作業による疲労、弊害等を回避しつつ、安全な仕事が保証されること、等の特徴がある。
【００３１】
請求項４の発明は、首カバー部が、耳部をカバーする領域部位を備えており、この領域部位は、鍔の内面の基端より鍔先側に向って縫合されるとともに、鍔の内側に向って縫合される構成とした防暑対策用の帽子である。従って、耳部カバー部と鍔との連繋を、容易にできる構成を提供できること、又は耳部カバー部の鍔の内面に設けて耳部を確実にカバーできること、等の特徴がある。
【図面の簡単な説明】
【図１】本発明の帽子の斜視図
【図２】本発明の帽子の側面図
【図３】本発明の帽子の裏面図
【図４】本発明の帽子の鍔と首カバー部との関係を説明する一部欠截の拡大裏面図
【図５】本発明の帽子の正面図
【図６】本発明の帽子の側面視した断面図
【図７】本発明の帽子の使用状態の斜視図
【図８】（ａ）は本発明の帽子の俯瞰図、（ｂ）は遮光部材の拡大片面図
【図９】本発明の帽子と、従来の帽子の防暑温度を対比した図
【符号の説明】
１  帽子
２  鍔
２ａ  鍔先側
２ｂ  内側
２０  基端
３  クラウン部
３ａ  縫合部
３０  クラウン頂面
３０ａ  端部
３１  クラウン側面
３１ａ  端部
４  首カバー部
４０  耳カバー部
４００  領域部位
５  汗取り帯部
６  伸縮体
７  紐
Ａ  遮光部材
Ａ１  紐状
Ａ２  撚糸
Ａ３  隙間
【図１】
0003912654.tif 000003
【図２】
0003912654.tif 000004
【図３】
0003912654.tif 000005
【図４】
0003912654.tif 000006
【図５】
0003912654.tif 000007
【図６】
0003912654.tif 000008
【図７】
0003912654.tif 000009
【図８】
0003912654.tif 000010
【図９】
0003912654.tif 000011